(57)【要約】【課題】追い炊きをなるべく避け、貯湯槽の湯を効率よく使用できるようにしたコージェネレーションにおける給湯システムを提供する。【解決手段】出湯口２０につながる給湯通路２１と、貯湯槽２３の貯湯室２２の基準位置２４における基準水温Ｔｍを検知する貯湯槽水温検知部２５と、設定温度優先モードにおける湯の設定温度Ｔｓと追い炊き抑制モードにおける水温の下限温度Ｔｄを設定する温度設定部と、設定温度優先モードに設定されているとき、基準水温Ｔｍが設定温度Ｔｓよりも低いときに追い炊きする追い炊き部２７と、追い炊き抑制モードに設定されているとき、設定温度優先モードの追い炊き量よりも小さくする（追い炊き量=０も含む）制御装置とを備える。【選択図】  図１
2005274038.tif 000002
【特許請求の範囲】
【請求項１】
出湯口につながり湯が流れる給湯通路と、
前記給湯通路につながると共に湯が溜まる貯湯室をもつ貯湯槽と、
前記貯湯槽の貯湯室の基準位置における基準水温を検知する貯湯槽水温検知部と、
設定温度優先モードと追い炊き抑制モードとを選択するモード選択部と、
前記設定温度優先モードにおける湯の設定温度を設定するとともに追い炊き抑制モードにおける湯の下限温度を変更可能に設定する温度設定部と、
前記貯湯槽と前記出湯口との間に設けられ前記貯湯槽から吐出される水を加熱する追い炊き部と、
前記貯湯槽の前記基準水温が設定温度未満であるとき、前記基準水温に応じた加熱量に基づいて前記追い炊き部を作動させて出湯温度を調整する設定温度優先モード、及び、前記貯湯槽の前記基準水温が設定温度と下限温度との間に存在するとき、前記追い炊き部の加熱量を、対応する設定温度優先モードの加熱量よりも抑制する追い炊き抑制モードを、前記モード選択部の選択状態に応じて切り換えて出湯温度を調整する制御装置とを具備することを特徴とするコージェネレーションにおける給湯システム、
【請求項２】
出湯口につながり湯が流れる給湯通路と、
前記給湯通路につながると共に湯が溜まる貯湯室をもつ貯湯槽と、
前記貯湯槽の貯湯室の基準位置における基準水温を検知する貯湯槽水温検知部と、
設定温度優先モードと追い炊き抑制モードとを選択するモード選択部と、
前記設定温度優先モードにおける湯の設定温度を設定するとともに前記追い炊き抑制モードにおける水温の上限温度及び下限温度を設定する温度設定部と、
前記貯湯槽と前記出湯口との間に設けられ、前記設定温度優先モードに設定されているとき、設定温度優先モードにおける設定温度よりも前記貯湯槽の基準水温が低いときに追い炊きする追い炊き部と、
前記貯湯槽の基準水温が設定温度未満であるとき、基準水温に応じた加熱量に基づいて前記追い炊き部を作動させて出湯温度を調整する設定温度優先モード、及び、前記貯湯槽の基準水温が前記追い炊き抑制モードにおける上限温度と下限温度との間に存在するとき、前記追い炊き部の追い炊き操作を止めまたは追い炊き量を設定温度優先モードよりも小さくすると共に、その湯を出湯口から出湯可能とする追い炊き抑制モードを、前記モード選択部の選択状態に応じて切り換えて出湯温度を調整する制御装置とを具備することを特徴とするコージェネレーションにおける給湯システム。
【請求項３】
請求項１または２において、前記温度設定部は前記追い炊き抑制モードにおける湯の下限温度を変更可能に設定できる構成であることを特徴とするコージェネレーションにおける給湯システム。
【請求項４】
請求項１または２において、前記温度設定部は、ユーザーによって前記追い炊き抑制モードの湯の下限温度を変更可能に設定できる構成であることを特徴とするコージェネレーションにおける給湯システム。
【請求項５】
請求項１〜４のうちのいずれか一項において、前記制御装置は、前記設定温度優先モードの前記設定温度に基づいて下限温度を変更することを特徴とするコージェネレーションにおける給湯システム。
【請求項６】
請求項１〜５のうちのいずれか一項において、前記追い炊き抑制モードに設定されているとき、前記制御装置は、前記貯湯槽の基準水温が前記追い炊き抑制モードにおける下限温度よりも低いときには、前記追い炊き抑制モードを維持した状態で、前記追い炊き部による追い炊きを行うことを特徴とするコージェネレーションにおける給湯システム。
【請求項７】
請求項１〜請求項６のうちのいずれか一項において、前記追い炊き抑制モードに設定されているとき、前記制御装置は、前記貯湯槽の基準水温が前記追い炊き抑制モードにおける上限温度よりも高いときには、前記貯湯槽から吐出される湯を水で薄めることを特徴とすることを特徴とするコージェネレーションにおける給湯システム。
【請求項８】
請求項１〜請求項７のうちのいずれか一項において、前記貯湯槽は、水を前記貯湯室の下部に供給する給水部を有しており、前記貯湯室の前記基準位置は、前記貯湯室の高さ方向の中間点よりも上方に設けられており、前記貯湯槽水温検知部は前記貯湯室の前記中間点と前記貯湯室の天井面との間の水温を検知することを特徴とするコージェネレーションにおける給湯システム。
【請求項９】
請求項１〜請求項８のうちのいずれか一項において、前記出湯口から出湯する出湯温度と前記貯湯槽の基準水温との一方または双方を表示する表示部を備えることを特徴とするコージェネレーションにおける給湯システム。
【発明の詳細な説明】
【技術分野】
【０００１】
本発明はコージェネレーションにおける給湯システムに関し、殊に貯湯槽を有する給湯システムに関する。
【背景技術】
【０００２】
従来、特許文献１には、貯湯タンクと補助熱源器と給水源と制御装置とを有しており、貯湯タンク内の湯の水温が設定温度と同じかそれよりも高いとき、貯湯タンク内の湯と給水源からの水とを混合することによりその湯を水で薄め、補助熱源器による加熱なしで希望給湯温度として給湯し、貯湯タンク内の湯の水温が設定温度未満のときには、貯湯タンク内の湯水を使うことなく、給水源からの水を補助熱源器に直接的に供給し、そこで加熱して希望給湯温度で給湯する貯湯式給湯器の運転方法が開示されている。
【０００３】
また、特許文献２には、屋外に設置した燃料電池電源装置を屋内から操作するリモコンを備えたリモコン式燃料電池電源装置が開示されている。このものによれば、リモコンは操作部と表示部とを有する。操作部は、燃料電池電源装置の運転／停止を行う運転スイッチと、出力設定または日付け時刻合わせに使用するアップダウンスイッチと、運転パターンを設定するプログラムスイッチとを備え、表示部は表示機能を備えている。
【０００４】
特許文献３には、燃料電池の供給により発電する燃料電池と、燃料電池からの熱を用いて加湿される水を貯湯する貯湯手段と、燃料電池の運転を操作する操作部と、燃料電池からの出力電力と貯湯手段の貯湯状態を表示する表示部を有する操作表示手段とを備える燃料電池発電システムが開示されている。
【０００５】
特許文献４には、リモコンにソーラー温水優先スイッチを設け、ユーザーによりソーラー温水優先スイッチがオン操作されていると、給湯器の燃焼系の燃焼作動を禁止し、ソーラ温水器からの温水を加熱せずにそのまま出湯させ、且つ、水温が設定温度以下になれば、ソーラ温水優先スイッチを強制的にオフにし、通常燃焼制御に復帰させる外部温水機器用利用給湯装置が開示されている。
【特許文献１】特開２００３−３１４９０５号公報
【特許文献２】特開２００２−１７５８２７号公報
【特許文献３】特開２００３−２２９１５９号公報
【特許文献４】特開２００３−１４２９５号公報
【発明の開示】
【発明が解決しようとする課題】
【０００６】
特許文献１によれば、湯の設定温度よりも貯湯タンクの水温が０．１℃でも低いときには、湯の水温としては事実上問題がないにもかかわらず、追い炊き部である補助熱源部が燃焼して、貯湯タンクの湯を加熱して昇温させることになる。従って、貯湯タンクの湯を効率よく使用するという観点から、熱エネルギの効率は充分ではない。特許文献２,３についても同様である。また特許文献４によれば、ユーザーによりソーラー温水優先スイッチがオン操作されると、給湯器の燃焼系の燃焼作動を禁止し、ソーラ温水器からの温水を加熱せずにそのまま出湯させるが、湯の水温の汎用性は必ずしも充分ではない。
【０００７】
本発明は上記した実情に鑑みてなされたものであり、追い炊き部による追い炊きをなるべく避け、貯湯槽の湯を効率よく使用することができ、熱エネルギの効率が低下することを抑えることができ、更に、追い炊き抑制モードにおける水温を設定できるようにし、追い炊き抑制モードにおける湯の水温の汎用性を高めたコージェネレーションにおける給湯システムを提供することを課題とする。
【課題を解決するための手段】
【０００８】
本発明者はコージェネレーションにおける給湯システムについて鋭意開発を進めている。そして、風呂やシャワー等の用途に主に使用される湯は、数℃の違いが使用者の満足感に大きな影響を与えるため、設定温度を基準とした湯を出湯口から吐出させることが好ましい。しかしながら、食器洗い、掃除、手洗い、洗面等の用途に主に使用される湯の水温が多少変動していたとしても、使用には事実上支障がないことを知見し、かかる知見に基づいて本発明を完成させた。
【０００９】
様相１に係るコージェネレーションにおける給湯システムは、出湯口につながり湯が流れる給湯通路と、
給湯通路につながると共に湯が溜まる貯湯室をもつ貯湯槽と、
貯湯槽の貯湯室の基準位置における基準水温を検知する貯湯槽水温検知部と、
設定温度優先モードと追い炊き抑制モードとを選択するモード選択部と、
設定温度優先モードにおける湯の設定温度を設定するとともに追い炊き抑制モードにおける湯の下限温度を変更可能に設定する温度設定部と、
貯湯槽と出湯口との間に設けられ貯湯槽から吐出される水を加熱する追い炊き部と、
貯湯槽の基準水温が設定温度未満であるとき、基準水温に応じた加熱量に基づいて追い炊き部を作動させて出湯温度を調整する設定温度優先モード、及び、貯湯槽の基準水温が設定温度と下限温度との間に存在するとき、追い炊き部の加熱量を、対応する設定温度優先モードの加熱量よりも抑制する追い炊き抑制モードを、モード選択部の選択状態に応じて切り換えて出湯温度を調整する制御装置とを具備することを特徴とするものである。
【００１０】
様相１に係るコージェネレーションにおける給湯システムによれば、追い炊き抑制モードに設定されているとき、貯湯槽の基準水温が設定温度と下限温度との間に存在するときには、設定温度優先モードにおける設定温度にかかわらず、制御装置は追い炊き量を設定温度優先モードの追い炊き量よりも小さくする。これにより追い炊き抑制モードでは、追い炊き部による追い炊き量を低減させる。故に、湯を出湯口から吐出させるときにおいて追い炊き部による追い炊きをなるべく避け、貯湯槽に貯留されている湯を効率よく使用することができ、熱エネルギの効率が低下することを抑えることができる。
【００１１】
更に様相１に係るコージェネレーションにおける給湯システムによれば、追い炊き抑制モードにおける湯の下限温度を変更可能に設定することができる。このため、追い炊き抑制モードで使用する湯の温度を、季節、使用地域等に応じて設定することができ、追い炊き抑制モードの湯の温度の多様化を図ることができ、追い炊き抑制モードにおける湯の温度の汎用性を高めることができる。
【００１２】
様相２に係るコージェネレーションにおける給湯システムは、出湯口につながり湯が流れる給湯通路と、
給湯通路につながると共に湯が溜まる貯湯室をもつ貯湯槽と、
貯湯槽の貯湯室の基準位置における基準水温を検知する貯湯槽水温検知部と、
設定温度優先モードと追い炊き抑制モードとを選択するモード選択部と、
設定温度優先モードにおける湯の設定温度を設定するとともに追い炊き抑制モードにおける水温の上限温度及び下限温度を設定する温度設定部と、
貯湯槽と出湯口との間に設けられ、設定温度優先モードに設定されているとき、設定温度優先モードにおける設定温度よりも貯湯槽の基準水温が低いときに追い炊きする追い炊き部と、
貯湯槽の基準水温が設定温度未満であるとき、基準水温に応じた加熱量に基づいて追い炊き部を作動させて出湯温度を調整する設定温度優先モード、及び、貯湯槽の基準水温が追い炊き抑制モードにおける上限温度と下限温度との間に存在するとき、追い炊き部の追い炊き操作を止めまたは追い炊き量を設定温度優先モードよりも小さくすると共に、その湯を出湯口から出湯可能とする追い炊き抑制モードを、モード選択部の選択状態に応じて切り換えて出湯温度を調整する制御装置とを具備することを特徴とするものである。
【００１３】
様相２に係るコージェネレーションにおける給湯システムによれば、追い炊き抑制モードに設定されているとき、貯湯槽の基準水温が追い炊き抑制モードにおける上限温度と下限温度との間に存在するときには、制御装置は、設定温度優先モードにおける設定温度にかかわらず、追い炊き部の追い炊き操作を止め、または、追い炊き量を設定温度優先モードよりも小さくする。これにより追い炊き抑制モードでは、追い炊き部による追い炊き量を低減させる。故に、湯を出湯口から吐出させるときにおいて追い炊き部による追い炊きをなるべく避け、貯湯槽に貯留されている湯を効率よく使用することができ、熱エネルギの効率が低下することを抑えることができる。
【００１４】
殊に様相２に係るコージェネレーションにおける給湯システムによれば、前述したように、追い炊き抑制モードにおける水温の上限温度及び下限温度をそれぞれ、ユーザーの好みに応じて追い炊き抑制モード用の温度設定部により設定することができる。このため、追い炊き抑制モードで使用する湯の温度を、ユーザーの好み、季節、使用地域等に応じて設定することができ、追い炊き抑制モードにおける湯の水温の汎用性を高めることができる。
【００１５】
様相３に係るコージェネレーションにおける給湯システムによれば、上記した特徴の他に、追い炊き抑制モードに設定されているとき、追い炊き抑制モード制御部は、貯湯槽の水温が追い炊き抑制モードにおける下限温度よりも低いときには、追い炊き抑制モードを維持した状態で、追い炊き部による追い炊きを行うことを特徴とする。これにより貯湯槽の水温が追い炊き抑制モードにおける下限温度よりも低いときであっても、良好な水温をもつ湯を吐出可能とすることができる。また、貯湯槽の水温が追い炊き抑制モードにおける下限温度よりも低いときに追い炊きされるときであっても、追い炊き抑制モードが維持されるため、ユーザーが追い炊き抑制モードを再設定する必要がない。
【００１６】
様相４に係るコージェネレーションにおける給湯システムによれば、上記した特徴の他に、追い炊き抑制モードに設定されているとき、追い炊き抑制モード制御部は、貯湯槽の基準水温が追い炊き抑制モードにおける上限温度よりも高いときには、貯湯槽から吐出される湯を水で薄めることを特徴とする。これにより追い炊き抑制モードにおいて出湯口から吐出される水が熱すぎることを防止することができる。
【００１７】
様相５に係るコージェネレーションにおける給湯システムによれば、上記した特徴の他に、貯湯槽は、水を貯湯室の下部に供給する給水部を有しており、貯湯室の基準位置は、貯湯室の高さ方向の中間点よりも上方に設けられており、貯湯槽水温検知部は貯湯室の中間点と天井面との間の水温を検知することを特徴とする。貯湯室において、追い炊き抑制モードにおける基準水温を規定する基準位置よりも上方の湯の水温は、当該基準温度よりも高温となる。このため、追い炊き抑制モードにおいて、貯湯室の基準位置よりも上方の湯を水で薄めて使用することができ、追い炊き抑制モードにおける湯の供給量を極力増加させるのに有利となる。
【００１８】
更に、好ましくは、温度設定部は追い炊き抑制モードにおける湯の下限温度を変更可能に設定する形態を採用できる。メーカの仕様、ユーザーの好み、季節、使用地域の相違等によって、追い炊き抑制モードの湯の下限温度を任意に変更することができるため、ユーザーの満足感を高めることができる。殊に、温度設定部は、ユーザーによって追い炊き抑制モードの湯の下限温度を変更可能であることが好ましい。また制御装置は、設定温度優先モードの設定温度に基づいて下限温度を変更する形態を採用できる。ユーザーが変更せずとも、設定温度の高低に基づいて追い炊き抑制モードの湯の下限温度が自動的に変更されるため、操作が簡便となる。
【００１９】
更に、好ましくは、出湯口から出湯する出湯温度と貯湯槽の基準水温との一方または双方を表示する表示部を備える形態を採用することができる。このように出湯温度と貯湯槽の基準水温とが表示部により表示されるため、現在出湯している湯の温度をユーザーは知ることができ、ユーザーの満足感を高めることができる。本明細書では水の加熱は湯の加熱に相当する。
【発明の効果】
【００２０】
各様相に係るコージェネレーションにおける給湯システムによれば、設定温度優先モードの他に追い炊き抑制モードが設けられているため、湯を出湯口から吐出させるときにおいて追い炊き部による追い炊きをなるべく避けることができる。従って、貯湯槽の湯を効率よく使用することができ、熱エネルギの効率が低下することを抑えることができる。
【００２１】
様相１に係るコージェネレーションにおける給湯システムによれば、追い炊き抑制モードにおける湯の下限温度を変更可能に設定することができるため、追い炊き抑制モードにおける湯の温度の多様性を高めることができる。
【００２２】
様相２に係るコージェネレーションにおける給湯システムによれば、追い炊き抑制モードにおける水温の上限温度及び下限温度をユーザー等が設定できるようにしているため、追い炊き抑制モードにおける湯の水温を設定温度優先モードにおける設定温度よりも低めにしつつ、追い炊き抑制モードにおける湯の水温の温度幅をユーザーの好み、季節、使用地域等に応じて任意に設定することができ、追い炊き抑制モードにおける湯の水温の汎用性を高めることができる。
【発明を実施するための最良の形態】
【００２３】
以下、本発明の実施形態について図面を参照しつつ具体的に説明する。図１は燃料電池発電システムを模式的に示し、図２は燃料電池発電システムの貯湯槽付近を模式的に示し、図３は追い炊き抑制モードの概念図を示し、図４は制御装置１００に関するブロック図を示し、図５は操作パネル５０を模式的に示す。
【００２４】
本実施形態に係るコージェネレーションシステムは燃料電池発電システムである。燃料電池発電システムは、図１に示すように、改質器１と、改質原料（例えば都市ガス等）を改質器１に供給する改質原料通路２と、水蒸気となる原料水を改質器１に供給する原料水通路３と、燃料極４ａ及び酸化剤極４ｃをもつ固体高分子型の燃料電池４と、改質器１で生成された改質ガスを燃料ガスとして燃料電池４の燃料極４ａに供給する燃料ガス供給通路５と、酸化剤ガス（一般的には空気）を燃料電池４の酸化剤極４ｃに供給する酸化剤ガス供給通路６と、熱交換器７と、熱交換器８と、熱交換器７及び熱交換器８を直列に流れる冷却水循環路９と、ユーザーに湯を供給する給湯装置１０とを有する。
【００２５】
ファン、ブロア、コンプレッサ等のガス搬送源６ｎが駆動すると、酸化剤ガスは（一般的には空気）は加湿器６ｍを介して燃料電池４の酸化剤極４ｃに供給される。また、改質器１で生成された改質ガスである燃料ガスは、燃料ガス供給通路５を介して燃料電池４の燃料極４ａに供給される。これにより燃料電池４で発電反応が生じる。なお、１１は改質原料を改質器１に供給するバルブ、１２は原料水を改質器１に供給するバルブ、１３は改質ガスである燃料ガスを燃料電池４の燃料極４ａに供給するバルブを示す。
【００２６】
冷却水循環路９は、改質器１及び燃料電池４の過熱を防止する。冷却水循環路９内の冷却水は、水搬送源であるポンプ９ａの作動により熱交換器７と熱交換器８を循環して流れ、改質器１及び燃料電池４を熱交換により冷却する。これにより改質器１及び燃料電池４の過熱が抑制され、改質器１の改質運転及び燃料電池４の発電運転が良好となる。
【００２７】
給湯装置１０は、ユーザーが湯を使用できるように湯を吐出させる複数の出湯口２０（２０ａ〜２０ｃ）につながり湯が流れる給湯通路２１と、給湯通路２１につながると共に湯が溜まる貯湯室２２をもつ貯湯槽２３と、貯湯槽２３の貯湯室２２の基準位置２４における基準水温Ｔｍを検知する貯湯槽水温検知部としての水温センサ２５と、出湯口２０と貯湯室２２との間に設けられた追い炊き部２７とをもつ。
【００２８】
追い炊き部２７は、追い炊きを行うバーナ２７ａと、追い炊き後の水温を検知する第２水温センサ２７ｄとをもつ。第２水温センサ２７ｄは追い炊き部２７以外の他の場所に設けられていても良い。上記した出湯口２０ａは風呂場に設けられている。出湯口２０ｂは台所に設けられている。出湯口２０ｃは家屋の他の場所に設けられている。
【００２９】
貯湯槽２３は、水源（例えば水道管）からの水をバルブ３１を介して貯湯室２２の下部に補給する給水部３０を有する。このように給水部３０から貯湯室２２の下部に水が補給されるため、貯湯室２２の高さ方向において、貯湯室２２の上部側の水温が高くなり、貯湯室２２の下部側の水温が低くなる。
【００３０】
図１，図２に示すように、前記した水温センサ２５は、貯湯槽２３の貯湯室２２において高さ方向の最上部または最下部に設けられているのではなく、貯湯室２２の高さ方向の中間点２２ｃよりも上方の基準位置２４に配置されており、高さ方向の中間点２２ｃと天井面２２ｆとの間の水温を検知する。具体的には貯湯室２２の高さをＨＡとすると、水温センサ２５は、貯湯室２２の底面２２ｂから（０．５５〜０．９８）×ＨＡの高さの位置、殊に（０．７〜０．９）×ＨＡの高さの位置に設定されている。但しこれに限定されるものではない。
【００３１】
貯湯槽２３の貯湯室２２において上記した高さ位置に水温センサ２５が設けられているのは、水温が比較的高い適温の水をできるだけ長時間にわたり吐出できるようにするためである。即ち、一般的には、貯湯室２２の上部側の水温が相対的に高く、貯湯室２２の下部側の水温が相対的に低いものである。特に、貯湯室２２に水を補給する給水部３０が貯湯室２２の下部側（底部側）に設けられているため、なおさら、貯湯室２２の上部側の水温が相対的に高く、貯湯室２２の下部側の水温が相対的に低いものである。
【００３２】
この場合、貯湯室２２の基準位置２４（水温センサ２５が設けられている高さ位置に相当）よりも上方の上方領域２４ｕの湯（図２にハッチングで示す領域）における水温は、水温センサ２５の検出温度よりも高温であり、貯湯室２２の基準位置２４（水温センサ２５が設けられている高さ位置に相当）よりも下方の下方領域２４ｄでは、水温は水温センサ２５の検出温度よりも低くなる傾向が認められる。省エネルギモードである追い炊き抑制モードによれば、貯湯室２２の上方領域２４ｕに貯留されている湯（図２においてハッチングで示す領域）を水で薄めて利用できる。このため追い炊き抑制モードで使用する湯の供給量を多くすることができる利点が得られる。なお、貯湯槽２３内には常に水道供給圧で加圧されている。更に貯湯槽２３の貯湯室２２において上記した高さ位置に水温センサ２５が設けられているので、追い炊き抑制モードとして使用できる湯の絶対量を水温センサ２５の検出温度により概略的に知ることができる。
【００３３】
追い炊き部２７は、貯湯槽２３の貯湯室２２の基準水温Ｔｍが設定温度Ｔｓよりも低いときに追い炊きして湯を加熱する機能をもつ。追い炊き部２７、あるいは、追い炊き部２７の近傍には、給水部３０からバルブ３１を介して分岐する給水通路３０ｋが接続されている。貯湯室２２の貯湯室２２の基準水温Ｔｍの水温が高すぎるときには、バルブ３１が開放し、給水部３０から分岐する給水通路３０ｋを介して水が追い炊き部２７に給水されるため、貯湯室２２の湯が水で薄められ、湯の過剰高温化が防止される。バルブ３１は水追加手段として機能する。バルブ３１は追い炊き部２７の中にあっても良い。
【００３４】
図１に示すように、熱交換循環路４０は、貯湯室２２の下部の導出口２２ｐから導出されており、改質器１用の熱交換器７の熱交換流路７ｗ、燃料電池４用の熱交換器８の熱交換流路８ｗを順に経て、貯湯室２２の上部の導入口２２ｉに戻る。従って、ポンプ等の水搬送源４０ｐが作動すると、貯湯槽２３の貯湯室２２の下部の水は、熱交換循環路４０に沿って流れ、熱交換器７,８を順に経て熱交換により加熱され、温水となって貯湯室２２の上部に戻る。よって貯湯室２２の高さ方向において、貯湯室２２の上部側の水温が高く、貯湯室２２の下部側の水温が低くされている。給湯通路２１の入口２１ｉは、貯湯室２２の上部側に繋がれており、水温センサ２５が設けられている基準位置２４よりも上方に位置している。
【００３５】
図５は、ユーザーが操作できる給湯装置１０の操作パネル５０を示す。前記した風呂場の出湯口２０ａ及び台所の出湯口２０ｂの付近には、ユーザーが操作できるように操作パネル５０がそれぞれ設けられている。図５に示すように、操作パネル５０には、設定温度優先モードと追い炊き抑制モードとをユーザー等が変更可能に設定するモード選択部５１と、設定温度優先モードにおける湯の設定温度Ｔｓをユーザー等が変更可能に設定する設定温度優先モード用の温度設定部５２と、追い炊き抑制モードにおける水温の上限温度Ｔｕ及び下限温度Ｔｄ（Ｔｕ＞Ｔｄ）をユーザー等が変更可能に且つそれぞれ個別に設定する追い炊き抑制モード用の温度設定部５５と、設定温度優先モードにおける湯の設定温度Ｔｓを表示する表示部５６と、貯湯室２２の基準水温Ｔｍ（あるいは上限温度Ｔｕ及び下限温度Ｔｄ）を表示する表示部５７と、出湯温度を表示する表示部５８とをもつ。追い炊き抑制モードは追い炊き量を０または低減させるモードであり、熱の消費エネルギを節約するお得モード（節約モード）である。
【００３６】
表示部５８は、追い炊き抑制モードにおける出湯温度、設定温度優先モードにおける出湯温度を表示するため、ユーザーは現在の出湯している湯の温度を知ることができる。なお、出湯温度は、給湯口２０側の水温センサ２７ｄにより検出される。
【００３７】
なお、操作パネル５０において、追い炊き抑制モードにおける水温の上限温度Ｔｕは、設定温度優先モードにおける湯の設定温度Ｔｓ以下の温度とするように設定されている（Ｔｕ≦Ｔｓ,Ｔｄ＜Ｔｕ≦Ｔｓ）。
【００３８】
設定温度優先モードにおける湯の設定温度Ｔｓは、使用者が不快感をもつような高い水温には設定できないようにされている。また、追い炊き抑制モードにおける水温の上限温度Ｔｕは、使用者が不快感をもつような高い水温には設定できないようにされている。また、追い炊き抑制モードにおける水温の下限温度Ｔｄは、湯として成立しないように、使用者が不快感をもつような低い水温には設定できないようにされている。
【００３９】
モード選択部５１は、追い炊き抑制モードよりも設定温度優先モードが優先するように設定温度優先モードを選択する第１モード選択部５１ｆと、設定温度優先モードよりも追い炊き抑制モードが優先するように追い炊き抑制モードを選択する第２モード選択部５１ｓとで形成されている。更に図５に示すように、操作パネル５０には、追い炊き部２７が追い炊き操作を実行しているとき点灯してユーザーに報知する追い炊き報知部６０、追い炊き部２７が追い炊きを実行していないことをユーザーに報知する非追い炊き報知部６１、湯を水で薄めて（うめる）水追加を実行しているとき点灯してユーザーに報知する水追加報知部６２とが設けられている。これによりユーザーは、貯湯室２２の湯を追い炊きしているか、あるいは、貯湯室２２の湯を水で薄めているかを認識することができる。
【００４０】
更に図５に示すように、操作パネル５０には、燃料電池４の発電運転の開始を指示する発電運転開始設定部６５、燃料電池４の発電運転の停止を指示する発電運転停止設定部６６、点灯させて燃料電池４の発電運転を表示する発電運転表示部６７、燃料電池４の発電運転の発電量（Ｗ）を表示する発電量表示部６８が設けられている。
【００４１】
図４に示すように、制御装置１００が設けられている。制御装置１００は、操作パネル５０におけるモード選択部５１の選択状態に応じて、設定温度優先モード及び追い炊き抑制モードを切り換えて実行するものであり、マイコンを搭載している。この場合、水温センサ２５，２７ｄの信号、操作パネル５０の各信号が制御装置１００に入力される。また制御装置１００は追い炊き部２７のバーナ２７ａ及びバルブ３１を制御し、バーナ２７ａを燃焼させて湯を加熱したり、バルブ３１を開放して湯を水で薄める。
【００４２】
本実施形態によれば、上記した設定温度優先モードは、主として、風呂やシャワー等の用途で湯を使用するときに使用される。風呂やシャワー等に使用される温水は、数℃の違いが使用者の満足感に大きな影響を与えるためである。設定温度優先モードに設定されているとき、設定温度優先モードにおける設定温度Ｔｓよりも貯湯槽２３の基準水温Ｔｍが低いときには、出湯口２０から吐出される湯が設定温度Ｔｓまたはその近傍の温度となるように、追い炊き部２７は燃焼し、水または湯を追い炊きし、風呂やシャワー等の用途で湯を使用するときに使用者の満足感を高める。
【００４３】
また、設定温度優先モードにおける設定温度Ｔｓよりも貯湯槽２３の基準水温Ｔｍが高いときには、出湯口２０から吐出される湯を水で薄めて湯の水温が設定温度Ｔｓまたはその近傍の温度となるように、水追加部としてのバルブ３１は開放作動して水を湯に追加する。これにより風呂やシャワー等の用途において適温の水温をもつ水が出湯口２０から吐出される。
【００４４】
追い炊き抑制モードは、湯の温度が多少変動していても、あまり実害がない用途に使用されるものであり、主として、食器洗い、掃除、手洗い、洗面等の用途で湯を使用するときに主に使用される。追い炊き抑制モード制御部を構成する制御装置１００は、追い炊き抑制モードに設定されているとき、貯湯槽２３の基準水温Ｔｍが追い炊き抑制モードにおける上限温度Ｔｕと下限温度Ｔｄとの間に存在するときには、設定温度優先モードにおける設定温度Ｔｓにかかわらず、設定温度優先モードにおける設定温度Ｔｓを無視し、追い炊き部２７の追い炊き量を０とする追い炊きキャンセル処理を実行する。
【００４５】
従って、食器洗い、洗面等の用途に湯が使用されるとき等のように追い炊き抑制モードが設定されているとき、貯湯槽２３の基準水温Ｔｍが追い炊き抑制モードにおける上限温度Ｔｕと下限温度Ｔｄとの間に存在するときには、設定温度優先モードにおける設定温度Ｔｓのいかんにかかわらず、追い炊き部２７の追い炊き量を０とする追い炊きキャンセル処理（追い炊き量を設定温度優先モードよりも少量としてもよい）が実行される。このため追い炊き抑制モードにおいては、給湯通路２１の出湯口２０から、設定温度Ｔｓよりも低温である温水が吐出される。この温水の温度は、設定温度Ｔｓよりも低いものの、追い炊き抑制モードにおける上限温度Ｔｕと下限温度Ｔｄとの間に存在するため、食器洗い、掃除、手洗い、洗面等の用途における湯の温度としては事実上問題とならない。これによりエネルギ消費の低減の面で有利である。
【００４６】
貯湯室２２の上部側の水温が相対的に高く、貯湯室２２の下部側の水温が相対的に低いものである。特に、貯湯室２２に水を補給する給水部３０が貯湯室２２の下部側に設けられているため、なおさら、貯湯室２２の上部側の水温が相対的に高く、貯湯室２２の下部側の水温が相対的に低いものである。この場合、貯湯室２２の基準位置２４（水温センサ２５が設けられている高さ位置に相当）よりも上方の上方領域２４ｕ（図２参照）における水温は、水温センサ２５の検出温度よりも高温であり、貯湯室２２の基準位置２４（水温センサ２５が設けられている高さ位置に相当）よりも下方の下方領域２４ｄでは、水温は水温センサ２５の検出温度よりも低くなる傾向が認められる。省エネルギモードである追い炊き抑制モードによれば、貯湯室２２の上方領域２４ｕ（図２参照）に貯留されている湯（図２においてハッチングで示す領域）を水で薄めて利用できるため、追い炊き抑制モードで使用する湯の供給量を多くすることができる利点が得られる。  追い炊き抑制モードに設定されているとき、貯湯槽２３の貯湯室２２の基準水温Ｔｍが追い炊き抑制モードにおける水温の下限温度Ｔｄよりも低いときには、貯湯室２２の水は湯としては成立しないため、追い炊き部２７が作動し、貯湯室２２から吐出される水または湯を追い炊きする。この場合、追い炊き抑制モードを維持した状態で、貯湯室２２から吐出される水または湯を追い炊きする。追い炊きの目標温度は、一般的には追い炊き抑制モードの上限温度Ｔｕとするが、場合によっては、追い炊き抑制モードの下限温度Ｔｄ、設定温度優先モードの設定温度Ｔｓとすることもできる。
【００４７】
上記したように追い炊き抑制モードに設定されているとき、貯湯槽２３の貯湯室２２の基準水温Ｔｍが追い炊き抑制モードにおける水温の下限温度Ｔｄよりも低いときには、追い炊き部２７が作動し、貯湯室２２から吐出される水または湯を追い炊きするが、追い炊き抑制モードがキャンセルされることなく、追い炊き抑制モードが維持されるため、ユーザーが追い炊き抑制モードを再設定する必要がない利点が得られる。
【００４８】
なお、上記のように追い炊き抑制モードに設定されているとき、貯湯槽２３の貯湯室２２の基準水温Ｔｍが上昇して水温の上限温度Ｔｕと下限温度Ｔｄとの間に至ったときには、自動的に追い炊き部２７が停止する。
【００４９】
更に本実施形態によれば、図１に示すように、熱交換循環路４０は、貯湯室２２の下部の導出口２２ｐから導出されており、熱交換器７及び熱交換器８を順に経て加熱され、貯湯室２２の上部の導入口２２ｉに戻る。従って、貯湯室２２のうち上部の水、湯よりも相対的に低温の下部の水を熱交換循環路４０に供給して熱交換器７，８で熱交換するため、改質運転中の改質器１，発電運転中の燃料電池４に対する冷却能力を高めるのに有利である。
【００５０】
以上説明したように本実施形態によれば、追い炊き抑制モードによれば、貯湯槽２３の基準水温Ｔｍが設定温度Ｔｓと下限温度Ｔｄとの間に存在するとき、追い炊き部２７の加熱量を、対応する設定温度優先モードの加熱量よりも抑制する追い炊き抑制モードを実行する。殊に本実施形態によれば、貯湯槽２３の基準水温Ｔｍが上限温度Ｔｕと下限温度Ｔｄとの間に存在するときには、追い炊き部２７の加熱量を、対応する設定温度優先モードの加熱量よりも抑制する追い炊き抑制モードを実行する。このため、湯を吐出させるときにおいて追い炊き部２７による追い炊きをなるべく避け、貯湯室２２の湯を効率よく使用することができ、熱エネルギの効率が低下することを抑えることができる。また追い炊き抑制モードによれば、貯湯槽２３の基準水温Ｔｍが設定温度Ｔｓと上限温度Ｔｕとの間に存在するときには、湯を水で薄めて使用する。
【００５１】
更に本実施形態によれば、追い炊き抑制モードにおける水温の下限温度Ｔｄを操作パネル５０の追い炊き抑制モード用の温度設定部５５で設定し、追い炊き抑制モードに設定されているとき、貯湯槽２３の基準水温Ｔｍが追い炊き抑制モードにおける上限温度Ｔｕと下限温度Ｔｄとの間に存在するときには、追い炊き部２７の追い炊き操作を止め、その湯を出湯口２０から出湯可能とする。このため、湯を吐出させるときにおいて追い炊き部２７による追い炊きをなるべく避け、貯湯室２２の湯を効率よく使用することができ、熱エネルギの効率が低下することを抑えることができる。
【００５２】
殊に本実施形態によれば、追い炊き抑制モードにおける水温の上限温度Ｔｕ及び下限温度Ｔｄをそれぞれ、ユーザーの好みに応じて、追い炊き抑制モード用の温度設定部５５により任意に設定することができる。このため、追い炊き抑制モードで使用する湯の温度を、ユーザーの好み（例えば、熱い湯が好きなユーザー、湯が熱くてもぬるくても良いユーザー等）、季節（例えば熱い湯が好まれやすい冬季、湯がぬるくてよい夏季等）、使用地域（例えば温暖地、寒冷地）等に応じて任意に設定することができ、追い炊き抑制モードにおける湯の水温の汎用性を高めることができる。
【００５３】
例えば、追い炊き抑制モードにおける水温の上限温度Ｔｕを３８℃とし、下限温度Ｔｄを３３℃とするように、通常の温度幅ΔＴ（５℃）で追い炊き抑制モードの湯を出湯口２０から吐出するようにすることもできる。また、追い炊き抑制モードにおける水温の上限温度Ｔｕを３８℃とし、下限温度Ｔｄを３６℃とするように、狭い温度幅ΔＴ（２℃）で追い炊き抑制モードの湯を出湯口２０から吐出するようにすることもできる。また、追い炊き抑制モードにおける水温の上限温度Ｔｕを３９℃とし、下限温度Ｔｄを３１℃とするように、広い温度幅ΔＴ（８℃）で追い炊き抑制モードの湯を出湯口２０から吐出するようにすることもできる。あるいは、追い炊き抑制モードにおける水温の上限温度Ｔｕと下限温度Ｔｄとを同一温度に設定し、追い炊き抑制モードの湯を出湯口２０から吐出するようにすることもできる。
【００５４】
図６は制御装置１００が実行するフローチャートの一例を示す。制御装置１００が実行するフローチャートは図６に限定されるものではない。先ず、初期設定（ステップＳ１０２）後に、操作パネル５０に設定されている各情報を読み取る（ステップＳ１０４）。そして設定温度優先モードが選択されているか、あるいは、追い炊き抑制モードが選択されているか判定する（ステップＳ１０６）。設定温度優先モードが選択されているときには、貯湯室２２の基準水温Ｔｍと設定温度優先モードの設定温度Ｔｓとを比較する（ステップＳ１０８）。貯湯室２２の基準水温Ｔｍが設定温度Ｔｓよりも低いときには、追い炊き部２７を作動させて追い炊きし（ステップＳ１１０）、湯を加熱してから出湯口２０から吐出可能とする。
【００５５】
また、貯湯室２２の基準水温Ｔｍが設定温度Ｔｓと等しいか、設定温度Ｔｓよりも高いときには、追い炊き部２７を非作動とし（ステップＳ１２０）、追い炊きしない。更に、貯湯室２２の基準水温Ｔｍが設定温度Ｔｓよりも所定温度以上高温かどうか判定する（ステップＳ１２２）。貯湯室２２の基準水温Ｔｍが設定温度Ｔｓよりも所定温度以上高温であれば、湯を水で薄めてから（ステップＳ１２４）、出湯口２０から吐出可能とする。
【００５６】
また、ユーザーにより追い炊き抑制モードが選択されているときには、ステップＳ１０６からステップＳ１３０に進み、貯湯室２２の基準水温Ｔｍが、追い炊き抑制モードの上限温度Ｔｕと下限温度Ｔｄとの間に存在するかどうか判定する（ステップＳ１３０）。貯湯室２２の基準水温Ｔｍが追い炊き抑制モードの上限温度Ｔｕと下限温度Ｔｄとの間に存在するときには（ステップＳ１３２）、追い炊き部２７により追い炊きを抑制し（追い炊き量＝０または少量）、追い炊き抑制モードの湯として出湯口２０から吐出可能とする決定を行い（ステップＳ１３２）、出湯温度調整処理（ステップＳ１３４）を経て湯を吐出する。
【００５７】
また、貯湯室２２の基準水温Ｔｍが追い炊き抑制モードの下限温度Ｔｄよりも低いときには、貯湯室２２の水は追い炊き抑制モードの湯として成立しないと推定されるため、追い炊き部２７を作動させて追い炊きし（ステップＳ１４０，ステップＳ１４２）、湯の温度が上限温度Ｔｕと下限温度Ｔｄとの間に存在するようにし、このように追い炊きした湯を出湯口２０から吐出可能とする。
【００５８】
また、貯湯室２２の基準水温Ｔｍが追い炊き抑制モードの下限温度Ｔｄよりも高いときには、追い炊き抑制モードにおける湯として成立する。このため貯湯室２２の基準水温Ｔｍが追い炊き抑制モードの上限温度Ｔｕよりも低いときには、追い炊きすることなく（ステップＳ１５２）、追い炊き抑制モードにおける湯として出湯口２０から吐出する。
【００５９】
更に、貯湯室２２の基準水温Ｔｍが追い炊き抑制モードの上限温度Ｔｕよりも高いときには、湯を水で薄めてから（ステップＳ１５４）温度を低下させ、出湯口２０から吐出可能とする。再びステップＳ１０４に戻る。湯を水で薄める場合には、追い炊き部２７の追い炊き機能を停止させつつ、バルブ３１により給水通路３０ｋから水（水道水）を追い炊き部２７に補給する。追い炊き抑制モード制御部は、ステップＳ１０６,ステップＳ１３０〜ステップＳ１５４により構成される。
【００６０】
追い炊き抑制モード（お得モード）における上記した出湯温度調整処理（ステップＳ１３４）の一例について、上限温度Ｔｕが４０℃、下限温度Ｔｄが３０℃に設定されている場合を例にとって、図９を参照して説明を加える。即ち、固体高分子型の燃料電池４から吐出される冷却水の水温は一般的には７０〜８０℃付近となるように設定されているため、貯湯室２２の上部の水温は一般的には約６０℃となる。ここで、水温センサ２５が検知した貯湯室２２の基準位置２４における基準水温Ｔｍが高いとき（例えば５０℃）には、上限温度Ｔｕ〜下限温度Ｔｄ間の温度をもつ湯、つまり、４０〜３０℃の湯の体積ＶLは、図７に示すように基準位置２４よりも下方に存在しており、相対的に多いものである。
【００６１】
これに対して水温センサ２５が検知した貯湯室２２の基準位置２４における基準水温Ｔｍが下限温度Ｔｄよりも低いとき（例えば２８℃）には、上限温度Ｔｕ〜下限温度Ｔｄ間の温度をもつ湯、つまり、４０〜３０℃の湯の体積Ｖｓは、図８に示すように基準位置２４よりも上方に存在しており、相対的に少ないものである。このように基準水温Ｔｍの温度により、追い炊き抑制モードとして使用できる湯の量が制御装置１００により推定される。
【００６２】
そこで実施形態によれば、水温センサ２５が検知した貯湯室２２の基準位置２４における基準水温Ｔｍが追い炊き抑制モードの温度として低いときには、追い炊き抑制モードとして使用できる湯の絶対量が少な目であると制御装置１００により推定されるため、図９に示すように、制御装置１００は、湯を水で薄める量を相対的に増加させ、追い炊き抑制モード（お得モード）における湯の出湯温度を、上限温度Ｔｕ〜下限温度Ｔｄ間を維持しつつ自動的に低め（例えば約３４℃）とする（ステップＳ２０２，２０４）。
【００６３】
また、水温センサ２５が検知した基準水温Ｔｍが追い炊き抑制モードの温度として中温のときには、追い炊き抑制モードとして使用できる湯の絶対量が中程度であるため、制御装置１００は追い炊き抑制モード（お得モード）における湯の出湯温度を、上限温度Ｔｕ〜下限温度Ｔｄ間を維持しつつ自動的に中温（例えば約３７℃）とする（ステップＳ２０８，２１０）。
【００６４】
また、水温センサ２５が検知した基準水温Ｔｍが追い炊き抑制モードの温度として高いときには、追い炊き抑制モードとして使用できる湯の絶対量が多いと推定されるため、制御装置１００は、湯を水で薄める量を相対的に減少させて、追い炊き抑制モード（お得モード）における湯の出湯温度を、上限温度Ｔｕ〜下限温度Ｔｄ間を維持しつつ自動的に高め（例えば約４０℃）とする（ステップＳ２０８，２１２）。このようして追い炊き抑制モードにおいても、制御装置１００は、上限温度Ｔｕ〜下限温度Ｔｄ間を維持するように、水温センサ２５が検知した貯湯室２２の基準位置２４における基準水温Ｔｍに応じて湯を水で薄めることができる。このようにすれば、追い炊き抑制モード（お得モード）といえども、湯の出湯温度をできるだけ高めに確保しつつ、湯の絶対量を確保することができる。なお上記した出湯温度調整処理は図９に示すフローチャートに限定されるものではない。
【００６５】
（他の実施形態）
第２実施形態は前記した実施形態と基本的には同様の構成、作用効果を有する。以下、異なる部分を中心として説明する。第２実施形態によれば、制御装置１００は、設定温度優先モードの設定温度Ｔｓが設定されると、Ｔｓ＞Ｔｄとなるように、設定温度Ｔｓに基づいて下限温度Ｔｄを自動的に変更する。
【００６６】
次に第３実施形態について説明する。夏季等のように事情により貯湯槽２３の貯湯室２２の湯の単位時間当りの消費量が低いときには、貯湯室２２の基準水温Ｔｍが上昇しがちとなる。この結果、貯湯室２２に繋がる熱交換循環路４０の水温は上昇し、熱交換循環路４０を流れる冷却水の水温も上昇する。このため、熱交換器７及び熱交換器８による熱交換量も制約をうける。この場合、発電運転している燃料電池４に対する冷却能が低下し、燃料電池４の内部の温度が高くなるおそれがある。ここで、設定温度優先モードにおける設定温度Ｔｓは、追い炊き抑制モードにおける上限温度Ｔｕよりも高く設定されている。
【００６７】
そこで、追い炊き抑制モードに設定されているとき、追い炊き抑制モード制御部を構成する制御装置１００は、貯湯槽２３の基準水温Ｔｍが追い炊き抑制モードにおける上限温度Ｔｕよりも高いときには、制御装置１００は、追い炊き抑制モードが設定されているにもかかわらず、追い炊き抑制モードにおける上限温度Ｔｕを無視し、設定温度優先モードにおける設定温度Ｔｓ（Ｔｓ＞Ｔｕ）を優先させる。即ち、追い炊き抑制モードが設定されているにもかかわらず、制御装置１００は、上限温度Ｔｕではなく設定温度Ｔｓを優先し、設定温度Ｔｓを基準として湯を出湯可能とする。
【００６８】
設定温度優先モードにおける設定温度Ｔｓは、使用者が不快感を示さない程度の水温とされている。これにより追い炊き抑制モードが設定されているにもかかわらず、追い炊き抑制モードにおける上限温度Ｔｕよりも高い水温の湯が出湯口２０から吐出されるため、貯湯槽２３の貯湯室２２の水温をできるだけ低下させることができる。このため、貯湯槽２３の貯湯室２２の湯の過熱を防止するのに有利となる。ひいては発電運転中の燃料電池４の過熱を抑制するのに有利となり、長時間にわたり燃料電池４の発電性能を得るのに有利となる。
【００６９】
（他の例）
上記した実施形態によれば、制御装置１００は、追い炊き抑制モードに設定されているとき、貯湯槽２３の基準水温Ｔｍが追い炊き抑制モードにおける上限温度Ｔｕと下限温度Ｔｄとの間に存在するときには、設定温度優先モードにおける設定温度Ｔｓにかかわらず、設定温度優先モードにおける設定温度Ｔｓを無視し、追い炊き部２７の追い炊き量を０としていることがある。これに限らず、制御装置１００は、追い炊き抑制モードに設定されているとき、貯湯槽２３の基準水温Ｔｍが設定温度Ｔｓと下限温度Ｔｄとの間に存在するときには、設定温度Ｔｓにかかわらず、追い炊き量を設定温度優先モードの追い炊き量よりも低減させつつ、追い炊きすることにしても良い。
【００７０】
上記した実施形態によれば、ユーザーが追い炊き抑制モードの下限温度Ｔｄを好みに応じて変更することにしているが、制御装置１００は、設定温度優先モードの設定温度Ｔｓの高低に基づいて、追い炊き抑制モードの下限温度Ｔｄを自動的に変更する形態としてもよい。この場合、ユーザーが変更せずとも、設定温度Ｔｓの高低に基づいて追い炊き抑制モードの湯の下限温度Ｔｄが自動的に変更されるため、操作が簡便となる。
【００７１】
また上記した実施形態によれば、燃料電池発電システムに適用しているが、これに限らず、他のコージェネシステムに適用しても良いものである。その他、本発明は上記し且つ図面に示した実施形態のみに限定されるものではなく、要旨を逸脱しない範囲内で適宜変更して実施できるものである。
【００７２】
上記した記載から次の技術的思想も把握できる。
「付記項１」出湯口につながり湯が流れる給湯通路と、給湯通路につながると共に湯が溜まる貯湯室をもつ貯湯槽と、貯湯槽の貯湯室の基準位置における基準水温を検知する貯湯槽水温検知部と、設定温度優先モードと追い炊き抑制モードとを選択するモード選択部と、設定温度優先モードにおける湯の設定温度を設定するとともに追い炊き抑制モードにおける湯の下限温度を設定する温度設定部と、貯湯槽と出湯口との間に設けられ貯湯槽から吐出される水を加熱する追い炊き部と、貯湯槽の基準水温が設定温度未満であるとき、基準水温に応じた加熱量に基づいて前記追い炊き部を作動させて出湯温度を調整する設定温度優先モード、及び、貯湯槽の基準水温が設定温度と下限温度との間に存在するとき、追い炊き部の加熱量を、対応する設定温度優先モードの加熱量よりも抑制する追い炊き抑制モードを、モード選択部の選択状態に応じて切り換えて出湯温度を調整する制御装置とを具備することを特徴とするコージェネレーションにおける給湯システム。
上記した作用効果が得られる。
【産業上の利用可能性】
【００７３】
本発明は例えば定置用に使用される燃料電池発電システム等のコージェネシステムに利用することができる。
【図面の簡単な説明】
【００７４】
【図１】燃料電池発電システムを模式的に示す構成図である。
【図２】燃料電池発電システムの貯湯槽付近を模式的に示す構成図である。
【図３】追い炊き抑制モードの概念図である。
【図４】制御装置に関するブロック図である。
【図５】操作パネルを模式的に示す正面図である。
【図６】制御処理の一例を示すフローチャートである。
【図７】水温センサが検知した貯湯室の基準位置における基準水温が高いとき（５０℃）において、上限温度〜下限温度間の温度をもつ湯の量を示す構成図である。
【図８】水温センサが検知した貯湯室の基準位置における基準水温が高いとき（２８℃）において、上限温度〜下限温度間の温度をもつ湯の量を示す構成図である。
【図９】追い炊き抑制モードの出湯温度調整処理の一例を示すフローチャートである。
【符号の説明】
【００７５】
図中、１は改質器、４は燃料電池、５は燃料ガス供給通路、６は酸化剤ガス供給通路、７，８は熱交換器、９は冷却水循環路、１０は給湯装置、２０は出湯口、２１は給湯通路、２２は貯湯室、２３は貯湯槽、２４は基準位置、２５は水温センサ（貯湯槽水温検知部）、２７は追い炊き部、３０は給水部、３１はバルブ（水追加手段）、４０は熱交換循環路、５０は操作パネル、５２は設定温度モード用の温度設定部、５６は表示部、５５は追い炊き抑制モード用の温度設定部、５７は表示部、１００は制御装置を示す。
【図１】
2005274038.tif 000003
【図２】
2005274038.tif 000004
【図３】
2005274038.tif 000005
【図４】
2005274038.tif 000006
【図５】
2005274038.tif 000007
【図６】
2005274038.tif 000008
【図７】
2005274038.tif 000009
【図８】
2005274038.tif 000010
【図９】
2005274038.tif 000011